(57)【特許請求の範囲】
【請求項１】
中心柱と、この中心柱のための三脚台とを具備し、
この三脚台は、第１ないし第３の脚部と、これら脚部を夫々中心柱に接続する第１ないし第３の接続アームと、中心柱に沿って摺動可能で、かつ中心柱に固定され得る第１並びに第２の枢支取付け部材とを有し、
前記脚部は、中心柱の径方向に実質的に直交した第１ないし第３の回動軸を中心として回動可能に前記第１の枢支取付け部材に夫々枢支されており、
前記第１ないし第３の径方向は、互いに実質的に等しい角度で前記中心柱の中心からの放射状に延びた方向であり、
前記接続アームは、両端が夫々対応する脚部の中間部と第２の枢支取付け部材とに回動可能に枢支されており、各脚部は、これが対応する接続アームと共に中心柱に接近するように持たらされた不動作位置から、対応する接続アームにより制限された傾斜で中心柱から離れるように開かれた動作位置へと移動可能であり、
前記第１ないし第３の脚部と、第１ないし第３の接続アームとは、前記第１並びに第２の枢支取付部材のところに、枢支部を夫々有し、
前記第２並びに第３の脚部の前記枢支部は、第１の脚部の回動軸に平行な、中心柱の中心を通る平面に対して同じ側に位置する、写真／光学並びに映写装置のためのスタンドにおいて、
前記第２並びに第３の脚部の前記枢支部は、前記第２並びに第３の径方向から、中心柱の同じ側へと第２並びに第３の回動軸に沿って離間しており、
前記第１ないし第３の回動軸の各々は、前記第１ないし第３の径方向の対応する各々と直交しており、この結果、第２並びに第３の脚部の枢支部は、中心柱の延出した領域内に位置し、
この延出方向は、第１の脚部の回動軸に直交する軸に沿う方向であり、
この結果、不動作位置では、前記脚部の各々は、対応した接続アームの各々と共に、前記延出した領域内に配置されることを特徴とするスタンド。
【請求項２】
前記第１ないし第３の脚部は、第１ないし第３のピンにより、第１の枢支取付け部材に夫々の回動軸を中心として回動可能に枢支されており、前記第２並びに第３の回動軸は、第２並びに第３のピンの一方の所で交差していることを特徴とする請求項１のスタンド。
【請求項３】
スタンドが動作位置にあるときに、隣り合う脚部間に形成される角度は、第２の脚部と第３の脚部との間に形成される角度の方が、第２並びに第３の脚部と第１の脚部との間に夫々形成される角度よりも大きくなっていることを特徴とする請求項１もしくは２のスタンド。
【請求項４】
前記中心柱に沿う調節可能な位置に第１の枢支取付け部材を固定するためのねじを備えたクランプ装置をさらに具備し、このクランプ装置のねじが、前記第１ないし第３の脚部のいずれか１の回動ピンを構成し、この回動ピンが、前記回動軸を規定していることを特徴とする請求項１ないし３のいずれか１のスタンド。
【請求項５】
前記クランプ装置は、前記ねじを回すためのノブを有し、このノブは、第１の枢支取付け部材により占められるスペース内に位置されていることを特徴とする請求項４のスタンド。
【請求項６】
前記第１ないし第３の脚部の開きを一方向に規定するように、前記第２の枢支取付け部材に設けられた当接手段をさらに具備することを特徴とする請求項１ないし５のいずれか１のスタンド。
【請求項７】
前記当接手段は、前記第１ないし第３の脚部の自由端部と夫々当接するように前記第２の枢支取付け部材に形成された付属物を有することを特徴とする請求項６のスタンド。
【請求項８】
複数のスタンドが、これらの第１ないし第３の脚部と中心柱とが互いに平行に位置された形態で互いに重ねられたときに、隣り合うスタンド相互を接続する係合手段をさらに具備することを特徴とする請求項１ないし７のいずれか１のスタンド。
【請求項９】
前記係合手段は、前記第１並びに第２の枢支取付け部材近くに装着された１対のフック部材を有し、これらフック部材は、積み重ねられた他のスタンドの対応する部分に係合可能となっている請求項８のスタンド。
【発明の詳細な説明】
【０００１】
【産業上の利用分野】
本発明は、中心柱と、この中心柱のための三脚台とを具備し、この三脚台は、３本の脚部と、これら脚部を夫々中心柱に接続する接続アームと、中心柱に沿って摺動可能で、かつ中心柱に固定され得る第１並びに第２の枢支取付け部材とを有し、前記脚部は、中心柱の径方向に実質的に直交した回動軸を中心として回動可能に前記第１の枢支取付け部材に枢支されており、前記接続アームは、両端が夫々対応する脚部の中間部と第２の枢支取付け部材とに回動可能に枢支されており、各脚部は、これが対応する接続アームと共に中心柱に接近するように持たらされる不動作位置から、対応する接続アームにより制限された傾斜で中心柱から離れるように開かれる動作位置へと移動可能である、写真／光学並びに映写装置のためのスタンドに関する。
【０００２】
【従来の技術】
上記形式のスタンドは、写真並びに映写の分野で広く使用されている。従来技術により提案されている解決の例は、脚部と、これら脚部を中心柱に接続する接続アームとが夫々枢支された３つの突出部を有し、ほぼ星形の第１並びに第２の枢支取付け部材を具備したスタンドである。接続アームの存在と、脚部が地面に支持されている夫々の枢支取付け部材の中間に中心柱を位置させる必要性とは、互いに１２０°の間隔で突出部が配置された枢支取付け部材と、中心柱の軸の径方向に垂直に配置される、脚部並びに接続アームの回動軸との両者を必要としている。スタンドを広範囲に渡って使用する使用者、例えば、スクリーン、リフレクター、ランプ、並びに他のアクセサリー類を支持する必要のある映写装置の使用者用として意図された場合には、最もコンパクトな収納形態でスタンドを保管する必要がある。
【０００３】
【発明が解決しようとする課題】
この場合、互いに平行に重ねられて通常保持されるが、中心柱３つの突出部が設けられた枢支取付け部材のかさばる形態は、保管スペースを有効に使用できなくしている。
【０００４】
中心柱に脚部を接続するためのアームを使用しない、所謂、自由脚部を備えたスタンドが知られている。このようなスタンドにおいては、スタンドが閉じられたときに、上述した接続アームを備えたスタンドとよりかさばらない形態とすることが可能である。例えば、中心柱に枢支ために設けられたブラケットにより支持され、かつ、回動可能で、スタンドが閉じられたときにほぼ平坦な形態となるように位置される脚部を備えたスタンドが知られている。しかし、このような形態は、接続アームが無いために精度良く構成されなければならず、中心柱に大して脚部が自由に回動してしまう。また、脚部と中心柱との接続が無いと、小型の写真装置のような比較的小さい荷重のものの支持にのみ自由な脚部を備えたスタンドの使用が制限されてしまう。従って、これらスタンドは、上述したようなかさばる撮影装置のような所定のサイズのものを支持するようにはなっていない。これらの場合、脚部の曲がりと、これに関連したストレスとを制限する規制部材として機能する中間の接続アームを備えた脚部を有するスタンドを使用することが必要である。かくして、上述した問題は、スタンドの保管のときに生じる。
【０００５】
本発明が基礎とする問題は、脚部を中心柱に接続するためのアームを有し、上述した従来技術で生じる問題を解決するように構造的並びに機能的にデザインされた上記形式のスタンドを提供することである。
【０００６】
【課題を解決するための手段】
この問題は、脚部と接続アームとは、第１並びに第２の枢支取付け部材に枢支部を夫々有し、これら枢支部は、各脚部が中心柱に接近された不動作位置において、脚部とこれらに夫々対応する接続アームとの長手方向の軸が中心柱の長手方向の軸とほぼ同一面にあるように配置され、この結果、対応する接続アームと共に各脚部により占められるスペースが中心柱により占められるスペース内にほとんど含まれ、前記平面上の軸に沿って突出されていることを特徴とするスタンドにより解決される。
【０００７】
【実施例】
図１ないし図３において、本発明の一実施の形態に係わる、写真／光学並びに映写装置を支持するためのスタンドは、符号１で示されている。このスタンド１は、２つ以上の入れ子式の対応した部分を有し、軸Ｘの中心柱３を支持するための三脚台２を有する。
【０００８】
前記三脚台２は、３本の脚部４ａ，４ｂ，４ｃを有し、各脚部は、第１の枢支取付け部材５に一端で回動可能に接続されている。この第１の枢支取付け部材５は、中心柱３に沿って調節可能な位置に固定され得る。前記脚部４ａ，４ｂ，４ｃは、夫々対応するピン７ａ，７ｂ，７ｃにより回動軸６ａ，６ｂ，６ｃを中心として回動可能になっている。
【０００９】
また、各脚部４ａ，４ｂ，４ｃは、接続アーム８ａ，８ｂ，８ｃにより前記中心柱３に接続されている。これら接続アームは、一端が対応する脚部の中間部に接続され、また、他端が、中心柱３の下端に装着された第２の枢支取付け部材９に接続されている。
【００１０】
前記第１の枢支取付け部材５は、透孔１１（図６）が形成されたカラー状の部分１０を有する。この透孔１１によって、第１の枢支取付け部材５は、中心柱３に装着されている。前記カラー状の部分１０は、スロット１２により外周の一部が切欠されており、このスロットによってカラー状の部分１０は、径方向、特に、径方向に狭まるように弾性的に変形可能となっている。前記スロット１２の領域で、カラー状の部分１０は、２つの突出片１３ａ，１３ｂを有している。これら突出片１３ａ，１３ｂは、外方に突出し、また、スロット１２の両側に配置されている。また、これら突出片１３ａ，１３ｂの間には、脚部４ａの一端部がピン７ａにより回動可能に支持されている。前記第１の枢支取付け部材５は、操作ノブ１４を備えたねじクランプ装置により中心柱３にクランプ留めされている。この操作ノブ１４は、突出片１３ａ外側で前記ピン７ａの雄ねじ部にねじ留めされている。このクランプ装置のねじは、また、脚部４ａの枢支ピンとしても機能している。また、操作ノブ１４は、第１の枢支取付け部材５が占める全スペース内に、特に、回動軸６ａに直交する方向で、実質的に含まれていることが判るであろう。
【００１１】
前記脚部４ａの枢支部（回動ポイント）とは反対の中心柱３の側にの第１の枢支取付け部材５には、２つの座部１５，１６が形成されている。これら座部は、互いに対向し対をなす肩部１５ａ，１５ｂ並びに１６ａ，１６ｂにより規定されている。これら対をなす肩部間には、ピン７ｂ，７ｃにより回転軸６ｂ，６ｃを中心として回動可能に脚部４ｂ，４ｃの一端部が枢支されている。
【００１２】
前記第２の枢支取付け部材９は、前記中心柱３の下端部に固定され、前記接続アーム８ａ，８ｂ，８ｃの枢支のための３つのブロック１９ａ，１９ｂ，１９ｃを支持している板状の本体１８を有する。また、各接続アームは、対応するブロックの径方向に離間した両側と、夫々の脚部の中間部とに夫々枢支された対向端を備えた１対のアーム部材により構成されている。
【００１３】
符号２０ａ，２０ｂ，２０ｃで示す３つの突出部が、夫々のブロック１９ａ，１９ｂ，１９ｃから突出されて、脚部４ａ，４ｂ，４ｃの自由端のための当接部を構成している。この結果、脚部が一方向に開くのが防止され、また、脚部が開成方向へと反対側に開くことが防止される。
【００１４】
図６に示すように、夫々のピン（第２並びに第３のピン）７ｂ，７ｃにより構成される脚部（第２並びに第３の脚部）４ｂ，４ｃの枢支部は、第１の脚部４ａの第１の回動軸６ａに平行な中心柱３の直径方向の面の同じ側に位置している。また、第１ないし第３の回動軸６ａ，６ｂ，６ｃに夫々直交する中心柱３の径方向の直線（第１ないし第３の径方向）は符号２１ａ，２１ｂ，２１ｃで夫々示されている。これら直線２１ａ，２１ｂ，２１ｃは、互いに実質的に等しい角度で離間している。中心柱３の同じ側に位置する第２並びに第３の脚部４ｂ，４ｃの枢支部は、前記直線２１ｂ，２１ｃに対して同じ方向に変位されていることが判るであろう。特に、第３の脚部４ｃの枢支部は、中心柱３とは反対の第２の脚部４ｂの枢支部の側に実質的に位置されている。この結果、第２並びに第３の回動軸６ｂ，６ｃは、第３のピン７ｃに位置する点Ｐで互いに交差する。
【００１５】
図７に示すように、第２の枢支取付け部材９に接続のための前記第１ないし第３の接続アーム８ａ，８ｂ，８ｃの枢支部は、前記脚部４ａ，４ｂ，４ｃに対して上述したのと実質的に対応した形態を有する。
【００１６】
夫々の枢支取付け部材での、第１ないし第３の接続アーム８ａ，８ｂ，８ｃと第１ないし第３の脚部４ａ，４ｂ，４ｃとの枢支部の配置は、スタンド１が図２に示す閉じた状態（不動作位置）のときに、接続アーム８ａ，８ｂ，８ｃと脚部４ａ，４ｂ，４ｃとの夫々の中心軸が中心柱３の中心軸Ｘとほぼ同一平面上にあるか、この同一面から接続アーム８ａ，８ｂ，８ｃと脚部４ａ，４ｂ，４ｃとの中心軸のずれが多くとも、中心柱３により占められるスペース、即ち、領域内にほとんどあるように、設定されている。このスペースは、第１の脚部の回動軸に直交する軸に沿う方向に延出している。かくして、スタンドの不動作の閉じた状態（不動作位置）において、脚部４ａ，４ｂ，４ｃと中心柱３とは、図２並びに図３に示すように実質的に“平らにされた”形態となる。このような形態により、複数のスタンドを平行に積み重ねることができて、従来のデザインのスタンドよりも占有スペースが小さくなる。図８と図９とは、従来技術に係わるスタンドと、本発明に係わって構成された同じサイズのスタンドとにより形成され得る積み重ねの高さＨを概略的に示す。スタンドが占めるのに必要なスペースに対しては、本発明に係わるスタンドの方が（図９に示す）従来技術により提案された解決（図８に示す）よりも３５％の積み重ね高さとすることができる。
【００１７】
図１０において、中心柱３の同じ側に枢支された脚部４ｂ，４ｃ間で形成される角度は、Ａで示されている。この角度Ａのために選定された値は、脚部４ａと脚部４ｂとの間に形成される角度Ｃ、並びに、脚部４ａと脚部４ｃとの間に形成される角度Ｂよりも大きい。特に、選定された値は、１２０°のスペースが地面に対しての脚部４ａ，４ｂ，４ｃの接触枢支取付け部材間に維持されるようになっている。このような形態により、中心柱３は、地面と当接する枢支取付け部材に対して可能なかぎり中心に位置され、この結果、スタンドに支持される荷重の均衡のとれた分布が果たされる。
【００１８】
前記スタンド１には、さらに、第１並びに第２のフック部材２２，２３が設けられている。これらフック部材は、図９に示す積み重ねられた状態で、第１のスタンドとこれに平行に隣接した第２のスタンドとの対応したの部分での係合を果たす。第１のフック部材２２は、第１の枢支取付け部材５の近くに装着され、また、第２のフック部材２３は、ブロック１９ａ，１９ｂ，１９ｃとは反対の第２の枢支取付け部材９の側から突出したピン２４に固定されている。図９に示すように積み重ねられた対をなすスタンドは、フック部材２２，２３により互いに接続されており、この結果、積み重なったスタンドは、パック状態で互いに接続されて、これらの取り扱いが容易となっている。必要なときに、パックの第１のスタンドの上に別のスタンドを装着するたに、図示されていないベルトもしくはハンドルが、このようにして得られたスタンドのパックを搬送するために使用され得る。
【００１９】
かくして、本発明は、既知の解決と比較して、上述したような効果を達成することができて、設定された問題を解決することができる。
【図面の簡単な説明】
【図１】図１は、本発明の一実施の形態に係わるスタンドの斜視図である。
【図２】図２は、閉じた状態にある図１に示すスタンドの一部の側面図である。
【図３】図３は、閉じた状態にある図１に示すスタンドの一部の正面図である。
【図４】図４は、図１に矢印ＶＩで示す、スタカドの一部を詳細に示す斜視図である。
【図５】図５は、図１に矢印Ｖで示す、スタカドの一部を詳細に示す斜視図である。
【図６】図６は、図２のＶＩ−ＶＩ線に沿った拡大断面図である。
【図７】図７は、図２のＶＩＩ−ＶＩＩ線に沿った拡大断面図である。
【図８】図８は、従来技術のスタンドにより達成される重なった形態の概略図である。
【図９】図９は、本発明に係わるのスタンドにより達成される重なった形態の概略図である。
【図１０】図１０は、本発明に係わるスタンドの概略的な平面図である。
【図１１】図１１は、本発明のスタンドの一部を詳細に示す斜視図である。
【図１２】図１２は、本発明のスタンドの一部を詳細に示す斜視図である。
【符号の説明】
１…スタンド、２…三脚台、３…中心柱、４ａ，４ｂ，４ｃ…脚部、５…第１の枢支取付け部材、６ａ，６ｂ，６ｃ…回動軸、７ａ，７ｂ，７ｃ…ピン、８ａ，８ｂ，８ｃ…接続アーム、９…第２の枢支取付け部材。
【図１】
0004116164.tif 000002
【図２】
0004116164.tif 000003
【図３】
0004116164.tif 000004
【図４】
0004116164.tif 000005
【図５】
0004116164.tif 000006
【図６】
0004116164.tif 000007
【図７】
0004116164.tif 000008
【図８】
0004116164.tif 000009
【図９】
0004116164.tif 000010
【図１０】
0004116164.tif 000011
【図１１】
0004116164.tif 000012
【図１２】
0004116164.tif 000013